(57)【要約】【課題】  立設した支柱に係止具を用いてパネル板を形成する通常構造の間仕切パネルにおいて、基本構造はそのままで必要最小限の変更を加えることで、一般的な地震振動は勿論、長周期の地震振動によってもパネル板が支柱から外れることがない耐震性間仕切パネルを提供する。【解決手段】  係止具は、支柱の係止孔に挿入する第１係止片と、パネル板の係合孔に挿入する第２係止片とを備え、これら第１係止片と第２係止片との間に上向き開口溝と下向き開口溝とを形成して連結部を設け、第２係止片の上端から連結部までの長さ（Ｌ１）より第２係止片の下端から連結部までの長さ（Ｌ２）を大きく設定し、パネル板の係合孔の上下寸法（Ｄ）を第２係止片の上下寸法（Ｌ）より若干大きく設定するとともに、係合孔の上下部の横幅を狭く設定してなる。【選択図】        図７
2014051860.tif 000002
【特許請求の範囲】
【請求項１】
所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設け、前記第２係止片の上端から前記連結部までの長さ（Ｌ１）より第２係止片の下端から前記連結部までの長さ（Ｌ２）を大きく設定し、前記パネル板の係合孔の上下寸法（Ｄ）を前記第２係止片の上下寸法（Ｌ）より若干大きく設定するとともに、該係合孔の上下部の横幅を狭く設定してなることを特徴とする耐震性間仕切パネル。
【請求項２】
前記第２係止片の上端から前記連結部までの長さ（Ｌ１）に対して、第２係止片の下端から前記連結部までの長さ（Ｌ２）を２倍以上５倍以下に設定してなる請求項１記載の耐震性間仕切パネル。
【請求項３】
所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設けるとともに、前記第２係止片に下端にかけて前記支柱表面から遠ざかるように傾斜縁を形成し、前記第２係止片の上端から前記連結部までの長さ（Ｌ１）に対して第２係止片の下端から前記連結部までの長さ（Ｌ２）を同じか又は大きく設定し、前記パネル板の係合孔の上下寸法（Ｄ）を前記第２係止片の上下寸法（Ｌ）より若干大きく設定するとともに、該係合孔の上下部の横幅を狭く設定してなることを特徴とする耐震性間仕切パネル。
【請求項４】
前記パネル板の係合孔は、上下端部が端部に向かってテーパー状に横幅が狭まった形状である請求項１〜３何れか１項に記載の耐震性間仕切パネル。
【請求項５】
前記支柱の表面側の少なくとも上下部に前記係止孔を形成するとともに、前記パネル板の裏板部で前記係止孔に対応する位置に前記係合孔を形成し、少なくとも上部の係止孔と係合孔とに前記係止具を係止し、残りの係止孔と係合孔とには前記第２係止片の上端から前記連結部までの長さ（Ｌ１）に対して、第２係止片の下端から前記連結部までの長さ（Ｌ２）が２倍未満の係止具を係止してなる請求項１〜４何れか１項に記載の耐震性間仕切パネル。
【発明の詳細な説明】
【技術分野】
【０００１】
本発明は、耐震性間仕切パネルに係わり、更に詳しくは隣接する支柱間にパネル板を装着した耐震性間仕切パネルに関するものである。
【背景技術】
【０００２】
従来から、地レールと天レール間に複数の支柱を所定間隔毎に立設し、隣接する支柱間にパネル板の両側縁を支持するために、該支柱の表面側とパネル板の両側裏板部に形成した係止孔に、共通の係止具を係止する構造の間仕切パネルは各種提供されている。
【０００３】
例えば、特許文献１には、支柱に対して金属板製の係止金具を介して壁パネル（パネル板）等を着脱自在に係止する係止装置において、前記係止金具を、前記支柱の面板に穿設した縦長の係止孔に挿入して該面板内面に接当する縦長の第１係止爪と、前記支柱の外面に沿って延びる縦長の第２係止爪とを、当該両係止爪の中途高さ部位間を支持部にて繋いで、該両係止爪の間にて上下に開放する上下一対の開口溝が形成されるように構成し、この上向き開口溝に、第２係止爪に係止する壁パネル等における板状係止部を係脱自在に嵌挿し、前記支持部の下端から第１係止爪の上端までの高さ寸法を前記係止孔の上下寸法よりも大きくなるように設定し、前記第２係止爪の上端を第１係止爪の上端よりも低くすると共に、該第２係止爪における上部の内角部を切欠き形成する一方、前記下向き開口溝の溝巾寸法を、前記支柱における面板の肉厚寸法よりも大きい寸法に設定し、前記第２係止爪の下端を第１係止爪の下端よりも下方に位置させると共に、該第２係止爪の下端には、前記支柱の外面に接当する突起を一体的に造形した構造が開示されている。
【０００４】
また、特許文献２には、壁パネルが係止具を介して支柱に係止される構造において、前記係止具には、前記支柱の面板に穿設された支柱係止孔に挿入される第１係止片と、前記壁パネルの裏板部に穿設された壁パネル係止孔に挿入される第２係止片とが備えられ、これら第１係止片と第２係止片との間に、上向き開口溝と下向き開口溝とが形成され、前記壁パネルの裏板部には、弾性変形可能な突部が少なくとも前記壁パネル係止孔の上方に設けられ、前記上下両開口溝内に、前記支柱の面板と前記壁パネルの裏板部とが重ねた状態で配置されるとき、前記突部が前記第２係止片により弾性変形可能に押圧されるように構成したことを特徴とする壁パネル係止構造が開示されている。
【０００５】
しかし、何れの係止具（係止金具）を用いた壁パネルの係止構造でも、通常の状態においては不意に壁パネルが外れることはないが、地震振動、特に長周期の地震振動によって支柱に対して壁パネルが大きく上下にずれた場合、係止具の第２係止爪から壁パネルの係合孔が抜ける恐れがある。
【先行技術文献】
【特許文献】
【０００６】
【特許文献１】実公平７−４０００４号公報
【特許文献２】特開２００５−４８３７７号公報
【発明の概要】
【発明が解決しようとする課題】
【０００７】
そこで、本発明が前述の状況に鑑み、解決しようとするところは、立設した支柱に係止具を用いてパネル板を形成する通常構造の間仕切パネルにおいて、基本構造はそのままで必要最小限の変更を加えることで、一般的な地震振動は勿論、長周期の地震振動によってもパネル板が支柱から外れることがない耐震性間仕切パネルを提供する点にある。
【課題を解決するための手段】
【０００８】
本発明は、前述の課題解決のために、所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設け、前記第２係止片の上端から前記連結部までの長さ（Ｌ１）より第２係止片の下端から前記連結部までの長さ（Ｌ２）を大きく設定し、前記パネル板の係合孔の上下寸法（Ｄ）を前記第２係止片の上下寸法（Ｌ）より若干大きく設定するとともに、該係合孔の上下部の横幅を狭く設定してなることを特徴とする耐震性間仕切パネルを構成した（請求項１）。
【０００９】
ここで、前記第２係止片の上端から前記連結部までの長さ（Ｌ１）に対して、第２係止片の下端から前記連結部までの長さ（Ｌ２）を２倍以上５倍以下に設定してなることがより好ましい。
【００１０】
また、本発明は、所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設けるとともに、前記第２係止片に下端にかけて前記支柱表面から遠ざかるように傾斜縁を形成し、前記第２係止片の上端から前記連結部までの長さ（Ｌ１）に対して第２係止片の下端から前記連結部までの長さ（Ｌ２）を同じか又は大きく設定し、前記パネル板の係合孔の上下寸法（Ｄ）を前記第２係止片の上下寸法（Ｌ）より若干大きく設定するとともに、該係合孔の上下部の横幅を狭く設定してなることを特徴とする耐震性間仕切パネルを構成した（請求項３）。
【００１１】
更に、前記パネル板の係合孔は、上下端部が端部に向かってテーパー状に横幅が狭まった形状であることも好ましい（請求項４）。
【００１２】
そして、前記支柱の表面側の少なくとも上下部に前記係止孔を形成するとともに、前記パネル板の裏板部で前記係止孔に対応する位置に前記係合孔を形成し、少なくとも上部の係止孔と係合孔とに前記係止具を係止し、残りの係止孔と係合孔とには前記第２係止片の上端から前記連結部までの長さ（Ｌ１）に対して、第２係止片の下端から前記連結部までの長さ（Ｌ２）が２倍未満の係止具を係止してなることがより好ましい（請求項５）。
【発明の効果】
【００１３】
以上にしてなる請求項１に係る発明の耐震性間仕切パネルは、所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設け、前記第２係止片の上端から前記連結部までの長さ（Ｌ１）より第２係止片の下端から前記連結部までの長さ（Ｌ２）を大きく設定し、前記パネル板の係合孔の上下寸法（Ｄ）を前記第２係止片の上下寸法（Ｌ）より若干大きく設定するとともに、該係合孔の上下部の横幅を狭く設定してなるので、一般的な地震振動や長周期の地震振動等によってパネル板が支柱に対して上方へ変位して、該パネル板の係合孔の上端が係止具の第２係止片の上端位置まで持ち上がっても、通常は支柱に対してパネル板はねじれて変位するので、係合孔の下部の横幅が狭くなっていることにより、第２係止片の下端部が係合孔の下部の横幅が狭くなっている部分に係止し、それより更にパネル板が支柱に対して持ち上がった場合には、前記係止具の第２係止片の下部がパネル板の係合孔の下方に係止し、パネル板が支柱から外れることを防止できる。
【００１４】
請求項２によれば、前記第２係止片の上端から前記連結部までの長さ（Ｌ１）に対して、第２係止片の下端から前記連結部までの長さ（Ｌ２）を２倍以上５倍以下に設定してなることにより、支柱に対するパネル板のねじれが小さくても、係止具の第２係止片の下端とパネル板の係合孔の下部の横方向の相対変位が十分大きくなり、該第２係止片の下端部が係合孔の下部の横幅が狭くなっている部分に確実に係止するようになる。
【００１５】
請求項３に係る発明の耐震性間仕切パネルは、所定間隔で立設した支柱の表面側に形成した係止孔に係止具を係止するとともに、パネル板の両側裏板部に形成した係合孔を前記係止具に係合してなる間仕切パネルにおいて、前記係止具は、前記支柱の係止孔に挿入する第１係止片と、前記パネル板の係合孔に挿入する第２係止片とを備え、これら第１係止片と第２係止片との間に上向き開口溝と下向き開口溝とを形成して連結部を設けるとともに、前記第２係止片に下端にかけて前記支柱表面から遠ざかるように傾斜縁を形成し、前記第２係止片の上端から前記連結部までの長さ（Ｌ１）に対して第２係止片の下端から前記連結部までの長さ（Ｌ２）を同じか又は大きく設定し、前記パネル板の係合孔の上下寸法（Ｄ）を前記第２係止片の上下寸法（Ｌ）より若干大きく設定するとともに、該係合孔の上下部の横幅を狭く設定してなるので、請求項１の効果に加えて支柱に対してパネル板が上方へ変位し、パネル板の係合孔の上端が係止具の第２係止片の上端より上へ持ち上がった場合に、係止具の第２係止片の下部がパネル板の係合孔の下方に係止し易くなる。
【００１６】
請求項４によれば、前記パネル板の係合孔は、上下端部が端部に向かってテーパー状に横幅が狭まった形状であるので、係止具の第２係止片にパネル板の係合孔を正面から挿入する際に、係合孔の横幅の広い中央部に第２係止片を位置させれば良く、横方向の位置決めが楽になり、また挿入時には上下部のテーパー部分で第２係止片を誘い込むので作業が容易になり、更に係止具の連結部にパネル板の係合孔の上端が当止している通常の状態では、該連結部が係合孔の上端の最も横幅が狭くなっている部分に位置するので、横方向に対するガタツキが規制され、また一般的な地震振動はもとより長周期の地震振動等によってパネル板が支柱に対して持ち上がった場合にも、係止具の第２係止片の下端部が係合孔の下部の横幅が狭くなっている部分に係止し易くなるのである。
【００１７】
請求項５によれば、前記支柱の表面側の少なくとも上下部に前記係止孔を形成するとともに、前記パネル板の裏板部で前記係止孔に対応する位置に前記係合孔を形成し、少なくとも上部の係止孔と係合孔とに前記係止具を係止し、残りの係止孔と係合孔とには前記第２係止片の上端から前記連結部までの長さ（Ｌ１）に対して、第２係止片の下端から前記連結部までの長さ（Ｌ２）が２倍未満の係止具を係止してなるので、パネル板の上部が支柱から外れ難くなり、より耐震性を高めることができる。
【図面の簡単な説明】
【００１８】
【図１】本発明に係る耐震性間仕切パネルの部分正面図である。
【図２】地レールと天レール間に立設した支柱を示す省略正面図である。
【図３】支柱にパネル板を係止した状態の省略縦断側面図である。
【図４】同じく支柱にパネル板を係止した状態の省略横断平面図である。
【図５】本発明の要部を示す部分斜視図である。
【図６】支柱に係止具を係止した状態の部分側面図である。
【図７】支柱に係止具を用いてパネル板を係止した状態を示し、（ａ）は本発明の係止具を用いた部分縦断正面図、（ｂ）は従来の係止具を用いた部分縦断正面図である。
【図８】支柱とパネル板の相対位置が通常状態である場合を示し、（ａ）は説明用正面図、（ｂ）は係止具の第２係止片とパネル板の係合孔の相対位置を示す部分説明図である。
【図９】ねじれる方向に外力が作用して右側の支柱に対してパネル板が持ち上がった状態を示し、（ａ）は説明用正面図、（ｂ）は係止具の第２係止片とパネル板の係合孔の相対位置を示す部分説明図である。
【図１０】図９の状態よりも更にパネル板が持ち上がった状態を示し、（ａ）は説明用正面図、（ｂ）は係止具の第２係止片とパネル板の係合孔の相対位置を示す部分説明図である。
【発明を実施するための形態】
【００１９】
次に、添付図面に示した実施形態に基づき、本発明を更に詳細に説明する。図１〜図４は本発明に係る耐震性間仕切パネルの全体構造を示し、図５〜図１０はその詳細を示し、図中符号１は地レール、２は天レール、３は支柱、４はパネル板、５は係止具をそれぞれ示している。
【００２０】
本実施形態の耐震性間仕切パネルの基本構造は、従来のものと同じであるので、図３〜図４に基づいて簡単に説明する。耐震性間仕切パネルは、床面に固定した地レール１と天井に固定した天レール２との間に所定間隔毎に支柱３，…を立設し、隣接する両支柱３，３の表裏両面にパネル板４，４を係止具５，…を用いて装着した構造となっている。
【００２１】
更に具体的には、前記地レール１は、上方へ開放した断面略コ字形部材であり、下端部にアジャスター６を装着した前記支柱３を内挿する。前記天レール２は、下方へ開放した断面略コ字形部材であり、前記支柱３の上端部に装着した天固定金具７とともに内挿して立起状態に保持する。そして、前記アジャスター６の両側面に突設した突片８に下方へ開放した断面略コ字形の連結部材９の端部を支持して連結するとともに、該連結部材９を前記地レール１に外挿する。前記連結部材９を支柱３，３間に渡設することにより、隣接する支柱３，３の間隔は正確に規定される。また、前記連結部材９は、前記パネル板４の下端を支持する機能も備えている。
【００２２】
前記支柱３は、図２、図４及び図５に示すように、断面略Ｃ字形で側面板１０と前面板１１及び後面板１２を有するとともに、前面板１１と後面板１２の端部を互いに接近する方向に折曲した折曲板１３，１３を有し、両折曲片１３，１３の間は開口部となっている。そして、前記支柱３の前面板１１及び後面板１２には、所定高さ位置に対となった縦長の係止孔１４，１４を形成している。本実施形態では、前記係止孔１４，１４は、前記支柱３の上下部と中間部の４箇所に形成しているが、少なくとも上下部に設けるものとする。
【００２３】
前記パネル板４は、図４及び図５に示すように、スチール製の表面板１５の周囲を背面側に折曲して縁板部１６を形成し、両側部においては前記縁板部１６の後縁から表面板１５に平行に内向きに裏板部１７を形成し、前記縁板部１６で囲まれる表面板１５の背面に石膏ボード１８を貼着した構造となっているが、前記裏板部１７が存在すればその他はどのような構造でも良い。そして、前記パネル板４の裏板部１７には、前記支柱３の係止孔１４の高さに合せて縦長の係合孔１９，…を形成している。前記係合孔１９は、上下端部が端部に向かってテーパー状に横幅が狭まった形状である。
【００２４】
前記係止具５は、図５及び図７（ａ）に示すように、前記支柱３の係止孔１４に挿入する第１係止片２０と、前記パネル板４の係合孔１９に挿入する第２係止片２１とを備え、これら第１係止片２０と第２係止片２１との間に上向き開口溝と下向き開口溝とを形成して連結部２２を設け、前記第２係止片２１の上端から前記連結部２２までの長さ（Ｌ１）より第２係止片２１の下端から前記連結部２２までの長さ（Ｌ２）を大きく設定し、前記パネル板４の係合孔１９の上下寸法（Ｄ）を前記第２係止片２１の上下寸法（Ｌ）より若干大きく設定している。
【００２５】
更に具体的には、前記第２係止片２１の上端から前記連結部２２までの長さ（Ｌ１）に対して、第２係止片２１の下端から前記連結部２２までの長さ（Ｌ２）を２倍以上５倍以下に設定している。ここで、Ｌ２／Ｌ１が２倍より小さいと、その効果に乏しくなり、５倍を超えると、前記パネル板４の裏板部１７に形成する係合孔１９の長さが長くなり過ぎて、裏板部１７の強度の低下及び係合孔１９の形状安定性に欠けるので好ましくない。そして、前記第２係止片２１の下部には、前記支柱３の表面に当接する当接部２３を形成するとともに、該当接部２３から下端にかけて該支柱表面から遠ざかるように傾斜縁２４を形成している。図７（ａ）に示した係止具５は、本発明品であり、図７（ｂ）に示した係止具５Ａは、前記第２係止片２１の上端から前記連結部２２までの長さ（Ｌ１）に対して、第２係止片２１の下端から前記連結部２２までの長さ（Ｌ２）が２倍未満の従来タイプのものである。ここで、前記第２係止片２１の上端から前記連結部２２までの長さ（Ｌ１）に対して、第２係止片２１の下端から前記連結部２２までの長さ（Ｌ２）が同じであっても、前記第２係止片２１に傾斜縁２４を設けることにより、外れ防止の効果を奏する。
【００２６】
そして、図６に示すように、前記支柱３の上部の係止孔１４に前記係止具５を係止し、残りの下方の係止孔１４，…には従来タイプの係止具５Ａ，…を係止し、それから正面側から前記パネル板４を接近させ、前記係止具５及び係止具５Ａ，…の各第２係止片２１，…を両側裏板部１７，１７に形成した対応する係合孔１９，…に同時に挿入して係止する。前記パネル板４を係止した状態では、前記係止具５及び係止具５Ａ，…の連結部２２にパネル板４の係合孔１９の上端が当止している。この際に、前記係合孔１９の上下部は端部に向けて横幅がテーパー状に狭まっているので、該係合孔１９と連結部２２はガタツキなく係合する。ここで、図中符号２５は、前記係合孔１９のテーパー部を示している。尚、前記係止具５は、上部のみならず下部若しくはその他の高さ位置に設けても良い。
【００２７】
最後に、本発明の耐震性が高まる理由を図８〜図１０に基づいて説明する。先ず、図８は、両側の支柱３，３に対して係止具５，５Ａ，…でパネル板４が正確な位置に係止されている状態を示している。係止具５の連結部２２に係合孔１９の上端が当止した状態である。次に、一般的な地震振動や長周期の地震振動等によって間仕切パネルの上部が左側へ下部が右側へ変位した場合、右側の支柱３に対してパネル板４の右側部分が上方へ持ち上がるような変位が生じる。
【００２８】
図９は、支柱３に対してパネル板４が上方へ変位し、係止具５の第２係止片２１の上端位置までパネル板４の係合孔１９の上端が変位した状態を示している。この際に、支柱３とパネル板４は相対的にねじれが生じ、そのため係止具５の第２係止片２１の下端に対してパネル板４の係合孔１９の下端が横方向に若干変位する。前記第２係止片２１の下端が、係合孔１９の下端より若干上方の挿脱可能な位置にあっても、ねじれのため前記第２係止片２１の下端が係合孔１９の下端部のテーバー部２５に係止するので、第２係止片２１から係合孔１９が抜けることはなく、つまりパネル板４が支柱３から外れることがないのである。
【００２９】
図１０は、図９の状態から支柱３に対してパネル板４が更に大きく変位した状態を示している。この状態では、前記係止具５の第２係止片２１の下端よりもパネル板４の係合孔１９の下端が高い位置になるが、図５及び図７に示すように、第２係止片２１に形成された傾斜縁２４に前記係合孔１９の下端部が当接するので、第２係止片２１から係合孔１９が抜けることはなく、つまりパネル板４が支柱３から外れることがないのである。
【００３０】
そして、地震振動等によって逆方向に外力が作用した際には、前記パネル板４の係合孔１９の上端が前記係止具５の連結部２２に当止した正常な係止状態に復帰する。
【符号の説明】
【００３１】
１  地レール、        ２  天レール、
３  支柱、            ４  パネル板、
５，５Ａ  係止具、    ６  アジャスター、
７  天固定金具、      ８  突片、
９  連結部材、        １０  側面板、
１１  前面板、        １２  後面板、
１３  折曲板、        １４  係止孔、
１５  表面板、        １６  縁板部、
１７  裏板部、        １８  石膏ボード、
１９  係合孔、        ２０  第１係止片、
２１  第２係止片、    ２２  連結部、
２３  当接部、        ２４  傾斜縁、
２５  テーバー部。
【図１】
2014051860.tif 000003
【図２】
2014051860.tif 000004
【図３】
2014051860.tif 000005
【図４】
2014051860.tif 000006
【図５】
2014051860.tif 000007
【図６】
2014051860.tif 000008
【図７】
2014051860.tif 000009
【図８】
2014051860.tif 000010
【図９】
2014051860.tif 000011
【図１０】
2014051860.tif 000012